(57)【特許請求の範囲】
【請求項１】
吸収体と、前記吸収体の上面を被覆するように配置され、少なくとも一部が液透過性材料からなるトップシートと、前記吸収体の下面を被覆するように配置され、液不透過性材料からなるバックシートと、便通過用開口部が形成され、前記トップシートの上方に配置されたスキンコンタクトシートと、を備えた使い捨ておむつであって、
前記スキンコンタクトシートに形成された前記便通過用開口部の周縁には、開口部伸縮材が配置され、前記開口部伸縮材の張力より、前記スキンコンタクトシートが前記トップシートから浮いた状態で維持されてなるとともに、
前記スキンコンタクトシートの上部かつ前記便通過用開口部の外縁には、前記便通過用開口部の前記外縁に沿って、隆起状に形成された隆起部が環状に配置されてなり、前記隆起部は、前記スキンコンタクトシートの上部の表面に、接着によって貼り合わされたものである使い捨ておむつ。
【請求項２】
前記隆起部が、圧縮変形可能である請求項１に記載の使い捨ておむつ。
【請求項３】
前記隆起部の、着用者の肌と接触する接触面が、アーチ状に形成されている請求項１又は２に記載の使い捨ておむつ。
【請求項４】
前記隆起部の、着用者の肌と接触する接触面が、前記便通過用開口に向かって傾斜状に形成されている請求項１又は２に記載の使い捨ておむつ。
【発明の詳細な説明】
【技術分野】
【０００１】
本発明は、吸収体、トップシート及びバックシートを備え、トップシートよりも上部に配置され、便を通過させ得る開口部が形成されたスキンコンタクトシートを更に備えた使い捨ておむつに関するものである。
【背景技術】
【０００２】
近年、乳幼児用、或いは高齢者・障害者用のおむつとして、吸収体と、吸収体の上面を被覆するように配置され、少なくとも一部が液透過性材料からなるトップシートと、吸収体の下面を被覆するように配置され、液不透過性材料からなるバックシートとを備えた使い捨ておむつが汎用されている。この使い捨ておむつは、トップシートの表面を着用者の肌に接するように宛がって使用することにより、着用者の排泄した尿はトップシートを透過して、吸収体によって吸収・保持されるとともに、防漏性に優れたバックシートによって、排泄物のおむつ外部への漏洩が防止されるというものである。
【０００３】
しかしながら、前記のような構成の使い捨ておむつでは、尿についてはトップシートを透過するものの、便についてはその殆どがトップシートを透過せず、トップシート上に残存することになる。トップシート上に残存した便は、着用者の股下部や臀部に付着するため、煩瑣な払拭作業が必要となり、育児負担や介護負担を増大させる原因となる他、着用者のスキントラブルの原因ともなっていた。このような問題は、着用者の排泄した便が軟便であった場合等には、一層顕在化することになる。
【０００４】
そこで、トップシートの上部に更にもう１枚のシート体（本明細書では、「スキンコンタクトシート」と称することにする）が配置された使い捨ておむつが提案されている（例えば、特許文献１及び２参照）。この使い捨ておむつでは、スキンコンタクトシートに便を通過させ得る開口部（便通過用開口部）が形成されており、その便通過用開口部を通過して着用者の排泄した便がトップシート上に落下するように構成されている。
【０００５】
前記のような使い捨ておむつでは、着用者の肌には、まずスキンコンタクトシートが接触するため、スキンコンタクトシートの下部に配置されるトップシートは着用者の肌と直接接触し難くなる。即ち、着用者の肌とトップシートとが離隔されることになる。また、トップシートと着用者の肌との間にスキンコンタクトシートという遮蔽層が介在していることにもなる。従って、たとえトップシート上に便が残存していたとしても、その便と着用者の肌とが直接接触する機会を大幅に減少させる効果を期待することができる。
【０００６】
ところで、尿と便とが混ざるとアンモニアが発生し、このアンモニアが環境をアルカリ性にし、便中の酵素がアルカリ性雰囲気で強く活性化され、この酵素及びアンモニアによって皮膚の弱った部分が炎症を起こし、おむつかぶれが発生することが報告されている（例えば、非特許文献１参照）。
【０００７】
そこで、特許文献２に記載の使い捨ておむつにおいては、トップシートや吸収体によっておむつの股下部に堰を形成し、あるいは、おむつの股下部から後身頃側にかけて吸収体の厚みを薄くしてポケット部を形成する等して、尿と便との混合をある程度防止できるようにしてある。しかし、それでも着用者の排泄した尿と便を確実に分離して吸収・保持させるというレベルに至ってはおらず、尿と便が混ざり合ってしまう場合があり、着用者の排泄した尿と便を確実に分離して吸収・保持させるという点においては十分に満足できるものではなかった。
【０００８】
ここで、特許文献３には、着用者の肛門及び尿道口の少なくとも一方を囲むことが可能な環状隆起部が吸収体（体液吸収性芯材）に直接固定され、この環状隆起部が直接開口部を形成するおむつが開示されている。しかし、特許文献３に見られるように、隆起部が吸収体（体液吸収性芯材）に直接固定されるとともに、その隆起部によって直接開口部を形成すると、肌に対する密着度が弱くなり開口部がずれたりするおそれがあり、しかして、排泄した便が入りづらい。加えて、隆起部に開口部及び開口部内の周囲の壁としての役割を同時に果たすため、隆起部が着用者の肌へ接触すると開口部又は開口部内が変形し、安定した開口形状を保持できず排泄した便が入りづらい。すなわち、特許文献３では、環状隆起部と着用者の体との間に隙間が生じ易く、その隙間から尿や軟便等が漏れ出し互いに混ざり合っておむつ内の環境を悪化させてしまう恐れがあるばかりか、開口内を安定的に保持できない。このように引用文献３のおむつでは、確実に尿便を分離できないか、分離可能であっても分離しづらいため、着用者の排泄した尿と便を確実に分離して吸収・保持させるという点においては、未だ解決すべき課題を残すものであった。
【０００９】
【特許文献１】実用新案登録第２５５９０５０号公報（段落００１０、図２）
【特許文献２】特開２００２−１１０４４号公報（段落００２０、図１）
【特許文献３】特許第３８４８６１７号公報
【非特許文献１】山本一哉、皮膚臨床３０、ｐ．９４９〜９５６（１９９８年）
【発明の開示】
【発明が解決しようとする課題】
【００１０】
本発明は、このような従来技術の課題を解決するためになされたものであって、排泄された便が着用者の肌と直接接触し難く、かつ、着用者の排泄した尿と便を確実に分離して吸収・保持でき、スキントラブルを有効に防止し得る使い捨ておむつを提供するものである。
【課題を解決するための手段】
【００１１】
本発明者らは、前記のような従来技術の課題を解決するために鋭意検討した結果、スキンコンタクトシートの上部、かつ、前記便通過用開口部の外縁に隆起部を設けることにより、上記課題が解決されることに想到し、本発明を完成させた。具体的には、本発明により、以下の使い捨ておむつが提供される。
【００１２】
［１］  吸収体と、前記吸収体の上面を被覆するように配置され、少なくとも一部が液透過性材料からなるトップシートと、前記吸収体の下面を被覆するように配置され、液不透過性材料からなるバックシートと、便通過用開口部が形成され、前記トップシートの上方に配置されたスキンコンタクトシートと、を備えた使い捨ておむつであって、前記スキンコンタクトシートに形成された前記便通過用開口部の周縁には、開口部伸縮材が配置され、前記開口部伸縮材の張力より、前記スキンコンタクトシートが前記トップシートから浮いた状態で維持されてなるとともに、前記スキンコンタクトシートの上部かつ前記便通過用開口部の外縁には、前記便通過用開口部の前記外縁に沿って、隆起状に形成された隆起部が環状に配置されてなり、前記隆起部は、前記スキンコンタクトシートの上部の表面に、接着によって貼り合わされたものである使い捨ておむつ。
【００１５】
［２］  前記隆起部が圧縮変形可能である［１］に記載の使い捨ておむつ。
【００１６】
［３］  前記隆起部の、着用者の肌と接触する接触面が、アーチ状に形成されている［１］又は［２］に記載の使い捨ておむつ。
【００１７】
［４］  前記隆起部の、着用者の肌と接触する接触面が、前記便通過用開口に向かって傾斜状に形成されている［１］又は［２］に記載の使い捨ておむつ。
【発明の効果】
【００１８】
本発明の使い捨ておむつは、排泄された便が着用者の肌と直接接触し難く、かつ、着用者の排泄した尿と便を確実に分離して吸収・保持でき、スキントラブルを有効に防止し得るという優れた効果を奏するものである。
【発明を実施するための最良の形態】
【００１９】
以下、本発明の使い捨ておむつを実施するための最良の形態について、２ピースタイプのパンツ型おむつを例として具体的に説明する。但し、本発明はその発明特定事項を備える使い捨ておむつを広く包含するものであり、以下の実施形態に限定されるものではない。なお、図４については、作図の都合上、図面から脚周り伸縮材を捨象した形で作図を行った。
【００２０】
なお、本明細書において「パンツ型おむつ」というときは、図１〜図３に示す使い捨ておむつ１のように、前身頃２と後身頃６の対応する側縁部同士（側縁部２ａ，６ａ、側縁部２ｂ，６ｂ）を接合することによって、接合部８、一つのウエスト周り開口部１０及び一対の脚周り開口部１２ａ，１２ｂが形成され、予めパンツ型に構成されたおむつを意味するものとする。そして、「２ピースタイプ」とは、着用者の排泄物を吸収し、保持する機能（吸収・保持機能）を担う吸収性本体１４と、着用者の身体を被包する機能（装着機能）を担う外装部材１６とから構成され、外装部材１６の内側に吸収性本体１４が配置されたタイプのおむつを意味するものとする。図３に示すように、吸収性本体１４は吸収体２２、トップシート１８及びバックシート２０を構成要素として備えた部材である。
【００２１】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２２】
［１］本発明の使い捨ておむつの構成：
本発明の使い捨ておむつは、図１〜図３に示す使い捨ておむつ１のように、吸収体２２と、前記吸収体２２の上面を被覆するように配置され、少なくとも一部が液透過性材料からなるトップシート１８と、前記吸収体の下面を被覆するように配置され、液不透過性材料からなるバックシート２０と、便通過用開口部２８が形成され、前記トップシート１８の上方に配置されたスキンコンタクトシート２４と、を備えている。このスキンコンタクトシート１４の上部、かつ、前記便通過用開口部の近傍には隆起状に形成された隆起部７７が配置されてなる。
【００２３】
［１−１］スキンコンタクトシート：
スキンコンタクトシート２４は、着用者の肌とトップシート１８とを離隔するための部材であり、トップシート１８の上部に配置され、便を通過させ得る開口部２８（便通過用開口部２８ａ）が形成されたシート状部材である。このスキンコンタクトシート２４を備えることによって、着用者の肌には、まずスキンコンタクトシート２４が接触するため、スキンコンタクトシート２４の下部に配置されるトップシート１８は着用者の肌と直接接触し難くなる。即ち、着用者の肌とトップシート１８とが離隔されることになる。すなわち、トップシート１８と着用者の肌との間にスキンコンタクトシート２４という遮蔽層が介在していることにもなる。従って、たとえトップシート上に便が残存していたとしても、その便と着用者の肌とが直接接触する機会を大幅に減少させる効果を奏する。
【００２４】
スキンコンタクトシートを構成する材料としては、例えば、ポリエチレン、ポリプロピレン、ポリエステル等の樹脂からなる不織布、メッシュシート、フィルム等を用いることができる。中でも、肌触りが良好である点において、不織布を用いることが好ましい。これらの材料は、液透過性であっても、液不透過性であっても、撥水性であってもよい。但し、長時間着用した際にもさらっとした触感（ドライ性）を維持することができるという点において、撥水性の材料（撥水性の不織布等）であることが好ましい。
【００２５】
スキンコンタクトシートには、着用者の排泄した便を通過させ得る開口部（便通過用開口部）が形成されている必要がある。このような構造とすることによって、着用者の排泄した便がスキンコンタクトシートを通過してトップシート上に落下することになり、便と着用者の肌とが直接接触する機会を大幅に減少させることが可能となる。
【００２６】
開口部は便を通過させ得る形状である限り、その形状について特に制限はない。即ち、便を通過させ得る「開口部」には、円形開口部、楕円形開口部、菱形開口部等のいわゆる開口部（孔）の他、直線状スリット、十字状スリット、３本以上のスリットを交差させた星型スリット等のスリットも含まれる。中でも、おむつの前後方向（長手方向）を長軸方向とする楕円形開口部、或いは星型スリットが好ましい。楕円形開口部には、便がスキンコンタクトシートの開口部を通過し易いという利点があり、星型スリットには、一旦、スキンコンタクトシートの開口部を通過してトップシート上に落下した便が、再びスキンコンタクトシートの開口部から露出し、着用者の臀部を汚してしまうことを有効に防止することができるという利点がある。
【００２７】
例えば、図２に示す使い捨ておむつ１は、スキンコンタクトシート２４のおむつの股下部４に相当する部分に、便通過用開口部２８ａとして、おむつの前後方向に長い楕円形状の開口部を形成した例である。なお、孔やスリットのサイズについては、「便を通過させる」という機能を考慮した上で適宜決定すればよい。
【００２８】
なお、スキンコンタクトシート２４には、前述した便通過用開口部２８ａより前身頃側に、尿通過用の開口部２８ｂが形成されことも好ましい形態の一つである。即ち、スキンコンタクトシート２４には、開口部２８として便通過用開口部２８ａ及び尿通過用開口部２８ｂが形成されていることが好ましい。
【００２９】
前記のように尿通過用開口部２８ｂを形成することによって、その開口部２８ｂを通過させて着用者の排泄した尿をスキンコンタクトシート２４とトップシート１８の間の空間に確実に流入させることが可能となり、スキンコンタクトシート２４を伝って尿が拡散し、おむつの脚周り開口部１２ａ、１２ｂ等からの横漏れを生ずる事態を有効に防止することができる上、尿と便とが混ざり合うことを有効に防止しできるのである。
【００３０】
例えば、図２に示す使い捨ておむつ１は、スキンコンタクトシート２４に開口部２８として、おむつの前後方向に長い楕円形の便通過用開口部２８ａに加えて、おむつの前後方向に長い楕円形の尿通過用開口部２８ｂを更に形成してあり、便通過用開口部２８ａはおむつの股下部４に相当する部分に形成され、尿通過用開口部２８ｂは便通過用開口部２８ａよりも前身頃２側の部分に形成されている。
【００３１】
前記開口部２８にはその周縁に伸縮材（開口部伸縮材３０）が配置されている。開口部伸縮材３０を配置すると、スキンコンタクトシート２４に張力がかかるので、スキンコンタクトシート２４にコシを持たせることができる。従って、スキンコンタクトシート２４がへたってトップシート１８側に落ち込む事態を防止することができ、スキンコンタクトシート２４を着用者の肌に接触し易くさせるという利点がある。また、このようにスキンコンタクトシートにコシを持たせることにより、後述の隆起部を、スキンコンタクトシートを介して下支えすることが可能となり、隆起部が着用者の肌と密着し易くなるから好ましい形態といえる。
【００３２】
また、開口部伸縮材３０を配置すると、スキンコンタクトシート２４を収縮させ、トップシート１８、吸収体２２、バックシート１８は下側（外装部材１６側）に向かって撓ませる力を作用させることができる。従って、スキンコンタクトシート２４をトップシート１８から浮かせた状態を維持することができ、スキンコンタクトシート２４とトップシート１８とを確実に離隔させることが可能となる。また、更に、スキンコンタクトシート２４が収縮することによって、スキンコンタクトシート２４やトップシート１８と尿便分離壁４８となる通気撥水性シート５２との間に空隙があった場合でもその空隙を埋めることができる。従って、スキンコンタクトシート２４とトップシート１８との間の空間を確実に仕切ることが可能となる。
【００３３】
開口部伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００３４】
開口部伸縮材の配置パターンは、前記効果を発揮し得るパターンである限り特に制限はないが、開口部に確実に伸縮力を作用させるため、開口部伸縮材が開口部の周縁を取り囲むようなパターンに配置されていることが好ましい。例えば、開口部の周縁を取り囲むように、円形、楕円形、菱形等のパターンで開口部伸縮材を配置すればよい。
【００３５】
また、開口部伸縮材として２本の開口部伸縮材を用い、その２本の開口部伸縮材が開口部の前後の少なくとも１点で交差し、開口部の周縁の一部を取り囲むようなパターンに配置されていることも好ましい形態の一つである。このようなパターンで開口部伸縮材を配置すると、開口部伸縮材をおむつの前後方向に向かって連続的に配置することが可能となるため、使い捨ておむつの連続的な製造が容易になるという利点があり好ましい。
【００３６】
例えば、図２に示す使い捨ておむつ１は、開口部伸縮材３０として２本の開口部伸縮材３０ａ，３０ｂを用い、その２本の開口部伸縮材３０ａ，３０ｂが便通過用開口部２８ａと尿通過用開口部２８ｂの間の点Ｐで交差し、便通過用開口部２８ａと尿通過用開口部２８ｂの周縁の一部を取り囲むようなパターンに配置した例である。このようなパターンで開口部伸縮材３０ａ，３０ｂを配置すると、吸収性本体１４が長手方向に向かって連続して配置されたような吸収性本体連続体を容易に製造することが可能となる。
【００３７】
また、図２に示す使い捨ておむつ１は、股下部４の中央で開口部伸縮材３０ａ，３０ｂが交差する配置となっている。このような配置とすることにより、おむつの前身頃２側や後身頃６側よりも股下部４（即ち、点Ｐ近傍）において幅方向（おむつ左右方向）への伸縮力を大きく作用させることができる。従って、スキンコンタクトシート２４の中でも比較的弛み易い、便通過用開口部２８ａと尿通過用開口部２８ｂとの間の部分を着用者の肌に対してより密着させ、さらには、後述の隆起部を着用者の肌に密着させる効果がある。また、図２に示す使い捨ておむつ１は、開口部伸縮材３０ａ，３０ｂが股下部４の中央の点Ｐ以外では交差しておらず、便通過用開口部２８ａの後身頃６側の周縁及び尿通過用開口部２８ｂの前身頃２側の周縁が開放されたパターンに配置されている。このような配置とすることにより、スキンコンタクトシート２４の前身頃２側や後身頃６側が着用者の肌に対して過度に密着しないため、通気性を確保することができる。従って、スキンコンタクトシートの当接による発汗が抑制され、汗に起因するムレやスキントラブルを効果的に防止することができる。
【００３８】
前記のような開口部伸縮材は、スキンコンタクトシートに対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００３９】
開口部伸縮材は、開口部に十分な伸縮力を作用させるため、伸長状態で固定することが好ましい。例えば、開口部伸縮材が天然ゴムや合成ゴムである場合には、１００〜４００％の伸長状態で固定することが好ましく、２００〜３００％の伸長状態で固定することがより好ましい。このような範囲の伸長状態で固定することにより、開口部に十分な伸縮力を作用させ、かつ、開口部が必要以上に縮小されるのを防止することができる。
【００４０】
開口部伸縮材の配置方法は特に限定されないが、例えば、図３に示す使い捨ておむつ１のように、スキンコンタクトシート２４を２枚のシート材（アッパーシート２４ａ、ライナーシート２４ｂ）を貼り合わせることにより構成し、アッパーシート２４ａとライナーシート２４ｂの間に開口部伸縮材３０ａ，３０ｂを挟みこむように配置することが好ましい。このような配置方法を採用すると、必要最小限の伸縮材によりスキンコンタクトシートに伸縮力を付与するとともに、隆起部を下支えすることができるという効果を奏するため好ましい。
【００４１】
図２及び図３に示す使い捨ておむつ１は、スキンコンタクトシート２４としてトップシート１８の表面全体を覆うような形状のものを用いている。但し、本発明の使い捨ておむつにおけるスキンコンタクトシートは、このようなものに限定されるわけではなく、トップシートの表面よりも上部に配置されるシート体であれば足りる。
【００４２】
スキンコンタクトシートの固定方法としては、（１）図３に示す使い捨ておむつ１のように、立体ギャザー２６ａ，２６ｂを構成するシート材３２ａ，３２ｂと、トップシート１８（ないしは、バックシート２０）との貼り合わせ部分に挟み込むようにスキンコンタクトシート２４を固定する方法、（２）立体ギャザーの内側の面であって、立体ギャザーの上端縁と下端縁（起立線）との間の部分にスキンコンタクトシートを固定する方法等を挙げることができる。また、立体ギャザーと接触させることなく、対となる立体ギャザーによって包囲された内側の領域にスキンコンタクトシートを固定してもよい。例えば、（３）立体ギャザーによって包囲された領域のうち、吸収性本体のトップシートと、バックシートとの貼り合わせ部分（いわゆるフラップ部）にスキンコンタクトシートを固定する方法等を挙げることができる。これらの方法の中では、着用者の肌に対してスキンコンタクトシートを密着させる効果が高いという点で、（１）の方法が好ましい。
【００４３】
［１−２］隆起部：
本実施形態における隆起部は、着用者の肌に密着して着用者の肌との隙間をなくすための部材であって、隆起状に形成される。隆起部は、図３に示されるようにスキンコンタクトシート２４の上部に配置される。ここで、本実施形態におけるスキンコンタクトシートにも伸縮材を用いることによって着用者の肌に密着し易いような機能を持たせているものの、着用者の臀部の形状等は様々であり、時には着用者の肌に上手く密着せずに、着用者の肌とスキンコンタクトシートの間に隙間ができる場合がある。このような隙間ができると、開口部内に尿や便が確実に落下しづらくなるばかりか、その隙間から尿や便がそれぞれの開口部内に入り易くなり尿便が混ざり合いおそれがある。そこで、本実施形態では、スキンコンタクトシート上に隆起状に形成した隆起部を配置し、この隆起部と着用者の肌とを密着させて隙間をなくした。
【００４４】
なお、隆起部を隆起状に形成したのは、スキンコンタクトシート上から、ある程度の高さがある（隆起している）方が、臀部、とりわけ肛門の位置を、開口部上方に確実に保持させ易いからである。
【００４５】
このようにスキンコンタクトシート上に配置することにより、隆起部は、スキンコンタクトシート上に設けられたいわばシール材、さらには、着用者の肌をスキンコンタクトシート上に保持するためのいわば保持部材としての機能を有することになる。すなわち、スキンコンタクトシートを、便等を入れる蓋の付いていない箱と例えれば、着用者の肌が上蓋となり、隆起部は、この上蓋の付いていない箱に、着用者の肌である上蓋を保持させながら密着させる部材としての機能を果たすものである。したがって、前述のように隆起部を配置することにより、外から尿が便通過開口部内に侵入するおそれがなくなり、軟便等が便通過開口部から外に漏れ出して尿と混ざり合うこともなくなるため、尿便を確実に分離でき、本願の効果を奏することができる。
【００４６】
また、隆起部は便通過用開口部の外縁に位置するように配置される。隆起部をこのように配置するのは、確実に開口部上方に着用者の臀部を保持して開口部内に排泄した便を落下させるためである。さらに、隆起部を着用者に密着させて隙間をなくし、尿便が混ざり合うことを防ぐためである。ここで、便通過用開口部の「外縁」とは、例えば、図３に示される隆起部７７、図４Ａに示される隆起部７７のように、スキンコンタクトシートに形成された開口部２８の端（スキンコンタクトシートのエッジ）部分に限らず、図４Ｂに示される隆起部７９のように、開口部２８の際から離間した部分（スキンコンタクトシートのエッジ部分）も含まれる。スキンコンタクトシートのエッジ等から離間した部分に形成されても、開口部上に着用者の肛門を保持することは可能であり、またシール性にも問題ないからである。ただし、スキンコンタクトシートのエッジに対して、隆起部が過度に離間して配置されると、隆起部が着用者の肌に密着しづらくなり、前述の機能を発揮しづらくなるため好ましくない。したがって、例えば、図３、図４Ａ、Ｂに示されるように、伸縮部材（３０ａ、３０ｂ）の上方周辺から、スキンコンタクトシートのエッジの間に、隆起部が配置されることがより好ましい。このように構成されることにより、スキンコンタクトシート（或いは、スキンコンタクトシートに配設された伸縮部材）を介して、隆起部が上方に押し上げられ易くなり（又は下支えされ易くなり）、着用者の肌に確実に密着でき隙間がなくなる。すなわち、便が漏れにくくなり、尿と混ざり合うことを確実に防ぐことができるのである。
【００４７】
また、隆起部は、便通過用開口部の外縁に沿って環状に配置される。開口部の周囲に、隆起部を配置することにより、着用者の肌を、開口上方に確実保持できることに加えて、開口部内に便を落下させやすくできるからである。ここで、「外縁に沿って環状に」とは、隆起部が便通過用開口部の周囲に一続きになるよう配置されるものだけに限らず、便通過用開口部の周囲に、隆起部が複数配置されるものも含まれる。例えば、隆起部が便通過用開口部の周囲に一続きになるよう配置されるものとして、図２に示される隆起部７７が挙げられる。このように構成されることにより、着用者の肌を確実に開口部上に保持でき、かつシール部材としての役割を果たすから、好ましい形態といえる。また、例えば、隆起部が複数配置されるものとしては、図５に示される隆起部８１が挙げられる。このように、便通過用開口部の前後及び両縁側に隆起部を配置することにより、前後に配置された隆起部は、性器周りを汚さずにでき、両縁側に配置された隆起部は横漏れを防止でき、併せて、本願の効果を奏することができるから好ましい。なお、図５では、隆起部とその周辺部材について図示したものであり、説明の便宜のため、その他の部材等については適宜省略して図示してある。
【００４８】
また、隆起部を、便通過用開口部の前後又は両側に配置した例を示す。例えば、図６は、隆起部７８を便通過用開口部の前後に配置した例であり、図７は、隆起部８３を便通過用開口部の両縁側に配置した例である。なお、図６及び図７では、隆起部とその周辺部材について図示したものであり、説明の便宜のため、その他の部材等については適宜省略して図示してある。
【００４９】
なお、前述した開口部は、円形若しくは楕円形状の開口部周縁に、隆起部を配置した場合について説明したが、例えば、菱形開口部、直線状スリット、十字状スリット、３本以上のスリット等についても、前述と同様に隆起部を配置することにより、本願の効果を奏することができる。たとえば、菱形開口部の場合には、菱形形状の外形に沿って、又は、菱形形状を円形（あるいは楕円形）等により全て、取り囲むように隆起部を配置してもよいし、菱形形状の外形に沿って数箇所、又は、菱形形状を円形（あるいは楕円形）等で取り囲む際の数箇所に、隆起部を配置してもよい。また、たとえば、直線状スリット、十字状スリット、３本以上のスリット等の場合には、そのスリットの周囲を全て取り囲むように配置してもよいし、そのスリットの周囲の数箇所に隆起部を配置してもよい。
【００５０】
隆起部は、圧縮変形可能である材料から形成されることが好ましい。また表面は疎水性で肌触りがいい素材が配置されていることが好ましい。具体的には、隆起部の材料として、発泡樹脂が挙げられる。例えば、ポリウレタン（ポリオールとイソシアネート）、ポリエチレン、ポリプロピレンまたはポリスチレンから選択された原料に発泡剤等を加えてシート状または環状その他所望の形状の金型に押出し成型した発泡樹脂を用いる事ができる。これら素材はそのままでは表面の肌あたりが悪いので、表面に熱可塑性樹脂を原料とした不織布を貼合して使用することが好ましい。また、隆起部として合成樹脂の繊維の束（トウ）を束ねて固定した状態で用いることができる。
【００５１】
隆起部の硬さについては、着用者の肌に優しい圧力で密着可能なこと、ある程度の弾性で着用者と密着することが求められる。この特性はスキンコンタクトシートの上部に配置された状態で達成される必要があるため、隆起部単独では一概には規定できないが、たとえばフォームの特性を示す指標である硬さ（ＪＩＳ  Ｋ  ６４００−２）で測定した値が、２０〜１５０Ｎの範囲のものから選択することができる。この範囲のものであれば、本願の効果を奏することができるため、好ましい。
【００５２】
また、隆起部は、着用者の肌と接触する接触面を有し、その接触面がアーチ状に形成されることが好ましい。着用者の肌に優しく接触することができるからである。例えば、図３に示される隆起部７７のようにアーチ状に形成することにより、着用者の肌に優しくフィットし易くなる。したがって、スキントラブルを防止し得るだけでなく、フィット性を高めるため、隙間ができにくくなり、尿と便を確実に分離できるから好ましい形態といえる。
【００５３】
また、隆起部の、着用者の肌と接触する接触面が、便通過用開口に向かって傾斜状に形成されることも好ましい形態に一つである。例えば、図８Ａに示されるように、隆起部の一端８８ａを、隆起部の他端８８ｂに向かって（便通過用開口に向かって）、緩やかな傾斜状の面として形成することにより、隆起部の接触面が着用者の肌に優しくフィットして着用の際の触感を良くするとともに、開口部上に着用者の肛門の位置を保持させ易くなるから好ましい。また、例えば、図８Ｂに示されるように隆起部の一端９０ａを、隆起部の他端９０ｂに向かって（便通過用開口に向かって）、図８Ａよりもさらに傾斜させた傾斜面として形成してもよい。ただし、図８Ａ及びＢのそれぞれの隆起部の一端（８８ａ、９０ａ）及び他端（８８ｂ、９０ｂ）は、角とりをして丸みをつけることが好ましい。隆起部の一端及び他端に角があると、着用の触感が悪くなり、スキントラブルの原因となり得るからである。なお、図８Ａ、Ｂは、スキンコンタクトシートと、スキンコンタクトシートに配置された隆起部とを拡大した模式図であって、一部拡大図であり、説明の便宜のため、適宜周辺部材を省略して図示してある。
【００５４】
なお、尿通過開口部に配置される隆起部も前述した隆起部と同様の構成により形成し、配置されることが好ましい。
【００５５】
［１−３］吸収体：
吸収体は、着用者の尿を吸収し、保持するための部材である。吸収体は、着用者の尿や体液を吸収し保持する必要から、吸収性材料によって構成される。
【００５６】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００５７】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００５８】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。
【００５９】
吸収体は、その全体が親水性シートによって包み込まれていることが好ましい。このような構成は、吸収体からＳＡＰが漏洩することを防止し、吸収体に形状安定性を付与することができるという利点がある。
【００６０】
吸収体の形状については特に制限はないが、従来の使い捨ておむつ、その他の吸収性物品において使用される形状、例えば、矩形状、砂時計型、ひょうたん型、Ｔ字型等を挙げることができる。
【００６１】
［１−４］トップシート：
トップシートは、吸収体の上面（おむつの装着時において着用者の肌側に位置する面）を被覆するように配置されるシートである。トップシートは、その下面側に配置された吸収体に、着用者の尿を吸収させる必要から、少なくとも一部（その全部ないし一部）が液透過性材料により構成される。
【００６２】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００６３】
トップシートは単一のシート材によって構成されていてもよいが、複数のシート材によって構成されていてもよい。例えば、後述するテープ型おむつにおいては、おむつの中央部には液透過性材料からなるトップシート（センターシート）を配置し、おむつのサイドフラップ部分には撥水性材料からなるトップシート（サイドシート）を配置する形態がよく利用される。
【００６４】
［１−５］バックシート：
バックシートは、吸収体の下面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００６５】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００６６】
なお、バックシートには、その外表面側にシート材（カバーシート）を貼り合わせてもよい。このカバーシートは、バックシートを補強し、バックシートの手触り（触感）を良好なものとするために用いられる。
【００６７】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００６８】
［１−６］吸収性本体：
２ピースタイプのパンツ型おむつにおいては、トップシート、バックシート及び吸収体を、吸収・保持機能を担う「吸収性本体」という一つの部材として構成し、これとは別個に製造された外装部材と接合することにより使い捨ておむつを構成する。この吸収性本体は、生理用ナプキン等と同様に、吸収体の上面側にトップシート、下面側にバックシートが配置されたものであり、トップシートとバックシートとの間に吸収体が介装された構造となっている。例えば、図３及び図４に示す使い捨ておむつ１、図８及び図９に示す使い捨ておむつ１００は、トップシート１８とバックシート２０の間に吸収体２２を挟みこみ、吸収体２２の周縁部を封着することによって、トップシート１８とバックシート２０との間に吸収体２２が介装された構造の吸収性本体１４を構成した例である。
【００６９】
吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。吸収性本体は、例えばホットメルト接着剤等を用いて、外装部材に対して固定することができる。
【００７０】
［１−７］尿便分離壁：
本願の効果を確実に奏すために、尿便分離壁を設けることが好ましい。ここで、尿便分離壁は、着用者の排泄した尿と便とを隔離するための部材であり、通気撥水性シートによって構成され、スキンコンタクトシートとトップシートとの間の空間に配置される。この尿便分離壁を設けることによって、スキンコンタクトシートとトップシートとの間の空間が尿便分離壁を境にして前身頃側と後身頃側とに仕切られ、前身頃側の空間に尿が、後身頃側の空間に便が誘導される。また、この尿便分離壁は、通気撥水性シートで構成されているので、シートを透過して前身頃側に誘導された尿が後身頃側に染み出すこともない。従って、尿と便とが混ざり合うことを有効に防止することができ、尿と便が混ざり合ってしまうことに起因するおむつかぶれの発生が効果的に抑制される。
【００７１】
本尿便分離壁は、通気撥水性シートによって構成されることが好ましい。このように構成されることにより、通気撥水性シートは液体の透過性が低いため、尿や軟便が尿便分離壁から染み出して尿と便とが混ざり合ってしまう事態を有効に防止することが可能となる。なお、バックシートに用いられるような液不透過性シートによって尿便分離壁を構成することも考えられるが、プラスティックフィルム等の液不透過性シートを用いた場合には、（１）通気性を有しないため、ムレが発生し易い、（２）柔軟性や形状追従性に乏しいため、着用者の身体とのフィット性が低い、といった問題がある。また、スキンコンタクトシートの開口部から露出して着用者の身体に接触した場合に、（３）肌触りが悪く、表面に濡れた感触が残り易いという不具合を生ずるおそれもある。したがって、尿便分離壁を通気撥水性シートによって構成することにより、前記のような不具合を防止しつつ、着用者の排泄した尿と便とを混ざり難くするという優れた効果を発揮させることが可能となる。
【００７２】
通気撥水性シートの構成材料としては、スパンボンドやカードエンボス等の不織布を用いてもよいが、耐水圧が高いという理由から、ＳＭＳ（スパンボンド／メルトブロー／スパンボンド）、ＳＭＭＳ（スパンボンド／メルトブロー／メルトブロー／スパンボンド）等の不織布を用いることが好ましい。
【００７３】
この通気撥水性シートは、その一端をスキンコンタクトシートに接合するとともに、その他端をトップシートの表面まで垂下させることによって、尿便分離壁を形成することができる。このように通気撥水性シートの一端をスキンコンタクトシートに接合することによって、尿便分離壁上部の空間を通過して尿や便が移動することを防止することができる。また、通気撥水性シートの他端については、トップシートに接合されていることが好ましい。通気撥水性シートの他端をトップシートに接合することによって、尿便分離壁が位置ずれすることなく強固に固定されるため、スキンコンタクトシートとトップシートとの間の空間が前身頃側と後身頃側とに確実に仕切られる。
【００７４】
例えば、図９に示す使い捨ておむつは、スキンコンタクトシート２４を構成するライナーシート２４ｂの表面（下面）に、尿便分離壁４８を構成する通気撥水性シート５２の一端を接合し、その他端をトップシート１８の表面まで垂下させた上で、トップシート１８の表面（上面）に接合した例である。
【００７５】
例えば、図９に示されるように、通気撥水性シートの一端（スキンコンタクトシート側の接合部）と他端（トップシート側の接合部）との距離を長くとることによって、尿便分離壁の起立高を高くとることが好ましい。スキンコンタクトシートとトップシートとを確実に離間させることができるからである。また、この場合、通気撥水性シートは、その一端と他端との間で１回ないし複数回折り畳まれていることが好ましい。
【００７６】
通気撥水性シートを折り畳む方法としては、通気撥水性シートを側面側から見た断面がＺ字状（折り畳み２回）、Ｍ字状（折り畳み３回）、蛇腹状（折り畳み多数回）となるように折り畳む方法等を挙げることができる。
【００７７】
なお、本発明の使い捨ておむつは、通気撥水性シートの折り畳み部によって、便通過用開口部や尿通過用開口部の直下のトップシート表面が被覆されていてもよい。通気撥水性シートの折り畳み部はトップシートに接合されておらず自由に動き得るため、既に説明したような、尿の吸収体への吸収が阻害され、尿漏れの原因となるといった問題は生じ難いからである。
【００７８】
一方、本発明の使い捨ておむつは、通気撥水性シートによってトップシートの表面の一部が被覆されていることも好ましい形態の一つである。このような構成とすると、前身頃側の空間からトップシートを透過した尿が吸収体に吸収されることなく後身頃側に移動し、トップシートの表面から染み出したような場合にも尿と便が直接接触する事態を防止することができるという利点がある。
【００７９】
スキンコンタクトシートに便通過用開口部と尿通過用開口部という２つの開口部を形成した場合には、尿便分離壁を便通過用開口部と尿通過用開口部との間に配置することが好ましい。このような位置に尿便分離壁を配置することにより、スキンコンタクトシートとトップシートとの間の空間を便通過用開口部に連通する空間と尿通過用開口部に連通する空間とに仕切ることができる。着用者が排泄した尿と便を、より確実に分離することが可能となる。例えば、図４に示す使い捨ておむつ１は、便通過用開口部２８ａと尿通過用開口部２８ｂとの間に、おむつの前身頃２側と後身頃６側を仕切るように尿便分離壁４８を配置した例である。
【００８０】
なお、尿便分離壁を構成する通気撥水性シートの長さは特に限定されるものではなく、尿便分離壁の高さ（スキンコンタクトシートとトップシートとの間隔）、折り畳み部の大きさ、接合位置等を考慮して所望の長さのものを用いればよい。
【００８１】
［１−８］外装部材：
外装部材は、着用者の身体を被包するための装着機能を担う部材であり、具体的には、前身頃、股下部及び後身頃の各部を形成するシート状の部材である。
【００８２】
２ピースタイプのパンツ型おむつでは、着用者の排泄物を吸収し、保持する吸収・保持機能については、専ら吸収性本体が果たすことになるので、外装部材を構成する材料として液不透過性材料を用いる必要はない。外装部材を構成する材料としては、例えば、ポリエチレン、ポリプロピレン、ポリエステル、その他の熱可塑性樹脂からなる合成繊維によって構成された不織布等を挙げることができる。
【００８３】
そして、外装部材は、脚周り伸縮材等を挟み込んだ状態で固定するために、２枚以上の不織布を貼り合わせて構成されることが多い。例えば、図２に示す使い捨ておむつ１、図７に示す使い捨ておむつ１００は、外装部材１６を２枚の不織布から構成し、その２枚の不織布の間に脚周り伸縮材４０、ウエスト周り伸縮材４２及び腹周り伸縮材４４を挟み込み固定した例である。
【００８４】
［１−９］各種伸縮材：
パンツ型の使い捨ておむつにおいては、脚周り伸縮材を配置し、ウエスト周り伸縮材を配置することが一般的であり、更に腹周り伸縮材を配置することが好ましい。
【００８５】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８６】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８７】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００８８】
なお、図１及び図２に示す使い捨ておむつ１は、脚周り開口部１２ａ，１２ｂの周縁には複数本の脚周り伸縮材４０を配置し、ウエスト周り開口部１０の周縁にはウエスト周り開口部１０を取り囲むように複数本のウエスト周り伸縮材４２を配置し、更に、ウエスト周り開口部１０と脚周り開口部１２ａ，１２ｂとの間の部分（即ち、着用者の腹周りに相当する部分）には、着用者の腹周りを取り囲むように複数本の腹周り伸縮材４４を配置した例である。
【００８９】
これらの伸縮材については、既に述べた開口部伸縮材と同様の構成を採用することができる。そして、ギャザーの収縮の程度等を勘案した上で、構成材料、その材料の伸長率、固定時の伸長状態等を決定すればよい。
【００９０】
［１−１０］立体ギャザー：
着用者の排泄した尿の横漏れを防止するため、立体ギャザーを有してもよい。立体ギャザーは、着用者の排泄した尿の横漏れを防止するための部材であり、立体的に起立可能なように構成された防漏壁である。このような立体ギャザーを形成することにより、スキンコンタクトシートの上に尿が排泄され、スキンコンタクトシートを伝って尿が拡散してしまった場合でも、立体ギャザーが防波堤となり、おむつの脚周り開口部等からの漏れ（いわゆる「横漏れ」）を有効に防止することができる。
【００９１】
立体ギャザーの構成は、従来の使い捨ておむつ、その他の吸収性物品に使用される構成を採用することができる。例えば、通気撥水性シートの一部に伸縮材（立体ギャザー伸縮材）を配置し、その立体ギャザー伸縮材によってシート材にギャザー（襞）を形成したもの等を好適に用いることができる。
【００９２】
図２及び図３に示す使い捨ておむつ１は、トップシート１８やバックシート２０とは全く別個のシート材３２ａ，３２ｂを、吸収性本体１４の両側縁部に貼り合わせ、起立線３８から立体的に起立可能な構造とすることにより、１対の立体ギャザー２６ａ，２６ｂを形成した例である。この例では、シート材３２ａ，３２ｂの端部（立体ギャザー２６ａ，２６ｂの上端縁３４に相当する側の端部）を折り返し、その折り返し部分に２本の立体ギャザー伸縮材３６ａ，３６ｂないしは立体ギャザー伸縮材３６ｃ，３６ｄを挟み込むように配置している。
【００９３】
［２］製造方法：
以下、本発明の使い捨ておむつを製造する方法の一例を、図１〜図６に示す使い捨ておむつ１（２ピースタイプのパンツ型おむつ）を製造する場合の例により説明する。
【００９４】
［２−１］吸収性本体の製造：
バックシート２０の上面に、親水性シートに包まれた吸収体２２を配置し、更にその上面にトップシート１８を配置する。次いで、吸収体２２の周縁部をトップシート１８とバックシート２０とで挟み込むように封着することによって吸収性本体１４を得る。
【００９５】
［２−２］スキンコンタクトシートの製造：
ライナーシート２４ｂの上面に、２本の開口部伸縮材３０ａ，３０ｂを所定のパターンに配置しつつ、アッパーシート２４ａを貼り合わせる。この際、２本の開口部伸縮材３０ａ，３０ｂは、後に形成される便通過用開口部２８ａ及び尿通過用開口部２８ｂの間の点Ｐで交差し、便通過用開口部２８ａと尿通過用開口部２８ｂの周縁の一部を取り囲むようなパターンに配置する。
【００９６】
次いで、貼り合わされたライナーシート２４ｂとアッパーシート２４ａに、便通過用開口部２８ａ及び尿通過用開口部２８ｂを形成する。こうすることによって、２本の開口部伸縮材３０ａ，３０ｂが便通過用開口部２８ａと尿通過用開口部２８ｂの間の点Ｐで交差し、便通過用開口部２８ａと尿通過用開口部２８ｂの周縁の一部を取り囲むようなパターンに配置された２層構造のスキンコンタクトシート２４を得る。
【００９７】
更に、Ｚ折りされた通気撥水性シート５２（後に尿便分離壁４８となる）の一端５４を、ライナーシート２４ｂの表面（下面）であり、便通過用開口部２８ａと尿通過用開口部２８ｂの間の位置に貼り付けて接合し、固定する（接合部６２ａ，６２ｂ，６２ｃ，６２ｄ）。こうすることにより、後に尿便分離壁４８となる通気撥水性シート５２が付設されたスキンコンタクトシート２４を得る。この際、通気撥水性シートはＺ折りのものに限らず、複数回折り畳んだ構造のものを用いてもよい。この固定はホットメルト接着剤等の接着剤による接着や、ヒートシール、超音波シール、エンボスロール等による加熱接着、加圧接着等、使い捨ておむつを製造する際に用いられる従来公知の接合法により行うことができる。図４に示す使い捨ておむつ１は、通気撥水性シート５２の一端５４をホットメルト接着剤によってライナーシート２４ｂの表面（下面）に貼り付け、接合・固定した例である。
【００９８】
［２−３］隆起部の製造：
前記発泡樹脂をあらかじめ隆起部および開口部の形状に合わせて成型し、必要であれば不織布を貼り合わせて、スキンコンタクトシートの便通過用開口部の近傍に貼り合わせる方法と、図１０Ａに示される隆起部７７の形状を備えて成型された発泡樹脂シート９３の表面に不織布を貼りあわせ、スキンコンタクトシート２４を含む近傍に貼り合わせた後、便通過用開口部２８を形成する際に、図１０Ｂに示されるように発泡樹脂シート９３も便通過用開口部２４の形に切断する方法がある。貼り合わせには、ホットメルト接着剤等の接着剤により接着や、ヒートシール、超音波シール、エンボスロール等による加熱接着、加圧接着等により接着する。なお、図１０Ａは、前述の切断する方法を用いて隆起部を製造する方法を示した模式図であり、発泡樹脂シートを切断する前を示した模式図である。また、図１０Ｂは、切断する方法を用いて隆起部を製造する方法を示した模式図であり、発泡樹脂シートを切断した後を示した模式図である。また、便通過用開口部２８周辺部材は、同図では説明の便宜のため省略してある。
【００９９】
［２−４］立体ギャザーの製造：
シート材３２ａ（３２ｂ）の一方の端部を折り返し、その折り返し部分に、２本の立体ギャザー伸縮材３６ａ、３６ｂ（３６ｃ，３６ｄ）を挟み込んだ状態で貼り合わせることによって、立体ギャザー２６ａ（２６ｂ）を得る。
【０１００】
［２−５］吸収性本体へのスキンコンタクトシート等の付設：
吸収性本体１４を構成するトップシート１８の表面に、スキンコンタクトシート２４（ライナーシート２４ｂ）の前端側、後端側、左右側縁側を各々接合し、固定する（接合部６８ａ，６８ｂ，６８ｃ，６８ｄ）。この際、通気撥水性シート５２の他端５６をトップシート１８の表面に貼り付けて接合・固定する（接合部６６）。これらの固定は、通気撥水性シートをスキンコンタクトシートに接合するのと同様の接合法により行うことができる。この際、通気撥水性シートを、その両端の接合部の間で１回ないし複数回折り畳んだ構造とすると、尿便分離壁の起立高を高くすることができるので好ましい。図４に示す使い捨ておむつ１は、通気撥水性シート５２がＺ折りし、２回折り畳んだ構造とした例である。なお、接合部６６の前端部は、おむつの着用時に尿便分離壁４８の起立線を形成することになる。図６に示す使い捨ておむつ１は、スキンコンタクトシート２４の前端側、後端側、左右側縁側及び通気撥水性シート５２の他端５６をホットメルト接着剤によってトップシート１８の表面（上面）に貼り付け、接合・固定した例である。
【０１０１】
上記のようにトップシート１８の表面に、スキンコンタクトシート２４（ライナーシート２４ｂ）の前端側、後端側、左右側縁側及び通気撥水性シート５２の他端５６を貼り合わせた後、吸収性本体１４とスキンコンタクトシート２４（ライナーシート２４ｂ）の側縁を挟み込むように、立体ギャザー２６ａ，２６ｂを貼り合わせる。
【０１０２】
［２−６］外装部材の製造：
まず、外装部材１６となる不織布を２枚用意し、このうちの１枚の不織布の上面に、ウエスト周り伸縮材４２、腹周り伸縮材４４及び脚周り伸縮材４０を配置し接着固定する。そして、この上面に、更にもう１枚の不織布を積層し固定することにより、２枚の不織布の間に、ウエスト周り伸縮材４２、腹周り伸縮材４４及び脚周り伸縮材４０が介装された外装部材１６を得る。
【０１０３】
［２−７］使い捨ておむつの製造方法：
外装部材１６の股下部近傍に、吸収性本体１４を配置し固定する。吸収性本体１４の両側に該当する外装部材１６に、脚周り開口部をあける。次いで、吸収性本体１４を内側にして、前身頃２と後身頃６とを合わせるように二つ折りにし、前身頃２と後身頃６とをヒートシール等の手段により接合し、接合部８を形成することによって、図１〜図４に示す使い捨ておむつ１を製造することができる。
【０１０４】
前記のような一連の工程は、機械的な手段によって連続的に行うことが可能である。例えば、長尺のシート材や伸縮材をローラーから連続的に送出する等の方法・装置を採用することにより、使い捨ておむつの連続製造が可能となり、生産性の向上に資する。
【０１０５】
［３］本発明の適用対象：
本発明の使い捨ておむつの適用対象は、前記２ピースタイプのパンツ型おむつに限られるものではなく、例えば、１ピースタイプのパンツ型おむつやテープ型おむつにも適用することができる。即ち、これらの使い捨ておむつにおいても、トップシートの表面よりも上部にスキンコンタクトシートを配置し、通気撥水性シートによって構成された尿便分離壁を配置することにより、本発明の使い捨ておむつの効果を享受することができる。
【０１０６】
なお、「１ピースタイプ」とは、２ピースタイプと同様に、トップシート、バックシート、吸収体を備えているが、吸収・保持機能を担う吸収体がトップシートとバックシートの間に介装（内蔵）され、装着機能を担うトップシート及び／又はバックシートと一体的に構成されたタイプのおむつを意味するものとする。
【０１０７】
また、「テープ型おむつ」とは、トップシートと、バックシートと、両シートの間の少なくとも一部に介装された吸収体と、装着用のテープファスナーとを備え、テープファスナーによっておむつの前身頃と後身頃とを相互に固定し得る使い捨ておむつを意味するものとする。「テープ型おむつ」にも、パンツ型おむつと同様に「１ピースタイプ」と「２ピースタイプ」が存在するが、本発明の使い捨ておむつはいずれのタイプのテープ型おむつにも適用可能である。
【産業上の利用可能性】
【０１０８】
本発明の使い捨ておむつは、乳幼児用、或いは介護を必要とする高齢者や障害者等の成人用のおむつとして好適に利用することができる。そして、本発明の使い捨ておむつは、尿と便とが混ざり合うことを有効に防止することができ、尿と便が混ざり合ってしまうことに起因するおむつかぶれの発生が効果的に抑制されるので、肌が弱くスキントラブルが多い、乳幼児用の使い捨ておむつとして特に好適に用いることができる。
【図面の簡単な説明】
【０１０９】
【図１】本発明の使い捨ておむつの一の実施形態を示す概略斜視図であり、おむつの前方から見た状態を示す概略斜視図である。
【図２】本発明の使い捨ておむつの一の実施形態を示す平面図であり、図１に示す使い捨ておむつを展開し、おむつの吸収性本体側から見た状態を示す平面図である。
【図３】本発明の使い捨ておむつの一の実施形態を示す概略断面図であり、図２に示す使い捨ておむつをＸ−Ｘ’線に沿って切断した断面を示す概略断面図である。
【図４Ａ】本発明の使い捨ておむつの別の実施形態を示す概略断面図であり、図３の隆起部と異なる配置にした隆起部とスキンコンタクトシートを一部拡大して模式図として示した概略断面図である。
【図４Ｂ】本発明の使い捨ておむつの別の実施形態を示す概略断面図であり、図３の隆起部と異なる配置にした隆起部とスキンコンタクトシートを一部拡大して示した略断面図である。
【図５】本発明の別の実施形態の使い捨ておむつの一部を拡大した平面を示す一部拡大平面図であり、図２の隆起部と異なる配置にした隆起部とスキンコンタクトシートが接合されたトップシート部分の平面を拡大して示す一部拡大平面図である。
【図６】使い捨ておむつの一部を拡大した平面を示す一部拡大平面図であり、図２の隆起部と異なる配置にした隆起部とスキンコンタクトシートが接合されたトップシート部分の平面を拡大して示す一部拡大平面図である。
【図７】使い捨ておむつの一部を拡大した平面を示す一部拡大平面図であり、図２の隆起部と異なる配置にした隆起部とスキンコンタクトシートが接合されたトップシート部分の平面を拡大して示す一部拡大平面図である。
【図８Ａ】本発明の使い捨ておむつの別の実施形態を示す概略断面図であり、図３の隆起部と異なる接触面を有する隆起部とスキンコンタクトシートを一部拡大して示した概略断面図である。
【図８Ｂ】本発明の使い捨ておむつの別の実施形態を示す概略断面図であり、図３の隆起部と異なる接触面を有する隆起部とスキンコンタクトシートを一部拡大して示した概略断面図である。
【図９】本発明の使い捨ておむつの一部を拡大した平面を示す一部拡大平面図であり、図２に示す使い捨ておむつの通気撥水性シート及びスキンコンタクトシートが接合されたトップシート部分の平面を拡大して示す一部拡大平面図である。
【図１０Ａ】隆起部を製造する方法の一例を示した模式図であり、発泡樹脂シートを切断する前を示した模式図である。
【図１０Ｂ】隆起部を製造する方法を示した模式図であり、発泡樹脂シートを切断した後を示した模式図である。
【符号の説明】
【０１１０】
１，１００：使い捨ておむつ、２：前身頃、２ａ，２ｂ：側縁部、４：股下部、６：後身頃、６ａ，６ｂ：側縁部、８：接合部、１０：ウエスト周り開口部、１２，１２ａ，１２ｂ：脚周り開口部、１４：吸収性本体、１６：外装部材、１８：トップシート、２０：バックシート、２２：吸収体、２４：スキンコンタクトシート、２４ａ：アッパーシート、２４ｂ：ライナーシート、２６，２６ａ，２６ｂ：立体ギャザー、２８：開口部、３０：開口部伸縮材、３２，３２ａ，３２ｂ：シート材、３４：上端縁、３６，３６ａ，３６ｂ，３６ｃ，３６ｄ：立体ギャザー伸縮材、３８：起立線、４０：脚周り伸縮材、４２：ウエスト周り伸縮材、４４：腹周り伸縮材、４６：空間、４８：尿便分離壁、５２：通気撥水性シート、５４：一端、５６：他端、５８：折り畳み部、６２ａ，６２ｂ，６２ｃ，６２ｄ：接合部、６６：接合部、６８ａ，６８ｂ，６８ｃ，６８ｄ：接合部、７７、７７ａ、７７ｂ、７８、７９、８１、８３、８８、９０：隆起部、８８ａ：一端、８８ｂ：他端、９０ａ：一端、９０ｂ：他端、９３：発砲樹脂シート、Ｐ：点。
【図１】
0005002405.tif 000002
【図２】
0005002405.tif 000003
【図３】
0005002405.tif 000004
【図４Ａ】
0005002405.tif 000005
【図４Ｂ】
0005002405.tif 000006
【図５】
0005002405.tif 000007
【図６】
0005002405.tif 000008
【図７】
0005002405.tif 000009
【図８Ａ】
0005002405.tif 000010
【図８Ｂ】
0005002405.tif 000011
【図９】
0005002405.tif 000012
【図１０Ａ】
0005002405.tif 000013
【図１０Ｂ】
0005002405.tif 000014